(57)【要約】【課題】長机を使用してＴＶ会議を行なうような場合に、長机に沿って配置される参加者が表示装置の表示画面に表示される内容を的確に把握できる表示装置用スタンドを提供する。【解決手段】表示装置３０を支持する表示装置用スタンド１であって、基台２と、該基台２に立設される支柱１２と、該支柱１２に設けられて前記表示装置３０を支持する支持手段２０とを備える。支柱１２は、基台２の中心から支持された表示装置３０の表示画面と反対側へ離れた位置に立設される。基台２には錘１０が着脱可能に取り付けられ、この錘１０よる重量が付加されることで基台２の安定性が高められ、表示装置３０を安定して支持することができる。【選択図】図２
2008244618.tif 000002
【特許請求の範囲】
【請求項１】
表示装置を支持する表示装置用スタンドであって、
基台と、該基台に立設される支柱と、該支柱に設けられて前記表示装置を支持する支持手段とを備え、
前記支柱を、前記基台の中心から前記支持された表示装置の表示画面と反対側へ離れた位置に立設するとともに、前記基台に錘を着脱可能に取り付けたことを特徴とする表示装置用スタンド。
【請求項２】
前記錘を、前記基台の下面側に着脱可能に取り付けたことを特徴とする請求項１に記載の表示装置用スタンド。
【請求項３】
前記基台の下部には床面上を転動可能かつ旋回可能なキャスターが取り付けられ、該キャスターによって前記基台の下面側に形成される空間内に前記錘が着脱可能に取り付けられていることを特徴とする請求項１又は２に記載の表示装置用スタンド。
【請求項４】
前記支持手段は、相互に揺動可能な２枚の羽根板を有する蝶番であって、１つ又は２つ以上の蝶番を前記支柱の頂部に配置し、該蝶番の一方の羽根板を前記支柱の頂部に固定し、他方の羽根板を前記表示装置の裏面側に固定し、該他方の羽根板と一体に前記表示装置を揺動可能に構成し、前記表示装置をその表示画面が上方向を向く位置と水平方向を向く位置との間で角度調整可能に構成したことを特徴とする請求項１から３の何れかに記載の表示装置用スタンド。
【請求項５】
前記蝶番は、前記表示装置を表示画面が水平方向を向く位置に角度調整した際に、該表示装置に作用する回転トルクよりも大きいトルク値を有していることを特徴とする請求項４に記載の表示装置用スタンド。
【発明の詳細な説明】
【技術分野】
【０００１】
本発明は、液晶モニター等のパネル表示装置を支持するのに有効な表示装置用スタンドに関する。
【背景技術】
【０００２】
近年、ネットワークを利用した各種のＴＶ会議システムが提供されており、隔地者間で液晶モニター等のパネル表示装置を用いてＴＶ会議を行う場合等に広く利用されている。
【０００３】
このようなＴＶ会議システムに利用可能なパネル表示装置の一例として、例えば、特許文献１には、十字状に形成した脚部と、脚部の上部中央部に垂直に立設される支柱と、脚部の下部の複数箇所に取り付けられるキャスターとを備えたスタンドを用い、このスタンドの支柱の上端部にパネル表示装置を取り付けた例が開示されている。
【０００４】
このような構成の表示装置を用いて隔地者間でＴＶ会議を行うには、例えば、室内等の所定の位置に長机を配置し、長机の手前側に参加者を配置し、長机の奥側に参加者の各人に対応してそれぞれ表示装置を配置し、参加者の各人が個別の表示装置の表示画面に表示される内容を目視しながら、ＴＶ会議に参加することになる。
【特許文献１】特開２００４−２２９０５１号公報
【発明の開示】
【発明が解決しようとする課題】
【０００５】
ところで、上記のような構成の表示装置にあっては、スタンドの脚部の中央部に支柱が立設され、この支柱の上端部に表示装置が取り付けられているため、長机の奥側に配置した表示装置を長机の手前側に引き寄せた場合に、支柱が長机の奥側の縁に当接することによってそれ以上表示装置を長机の手前側に引き寄せることができない。このため、長机の手前側に配置される参加者から表示装置の表示画面が遠く離れた位置に配置されることになり、表示装置の表示画面に表示される内容を的確に把握することが困難になり、ＴＶ会議を円滑に進行させることが困難になる。
【０００６】
また、脚部が長机の奥側の縁から大きく食み出すことになるため、長机の周りを参加者が移動するような場合に、誤って参加者の足が脚部に引っ掛かって表示装置を倒してしまう虞がある。
【０００７】
本発明は、上記のような従来の問題に鑑みなされたものであって、長机を使用してＴＶ会議を行なうような場合に、長机に沿って配置される参加者が表示装置の表示画面に表示される内容を的確に把握できるとともに、長机の周りを参加者が移動しても、参加者が誤って表示装置を倒してしまうようなことがない、表示装置用スタンドを提供することを目的とする。
【課題を解決するための手段】
【０００８】
上記のような課題を解決するために、本発明は、以下のような手段を採用している。
すなわち、請求項１に係る発明は、表示装置を支持する表示装置用スタンドであって、  基台と、該基台に立設される支柱と、該支柱に設けられて前記表示装置を支持する支持手段とを備え、前記支柱を、前記基台の中心から前記支持された表示装置の表示画面と反対側へ離れた位置に立設するとともに、前記基台に錘を着脱可能に取り付けたことを特徴とする。
【０００９】
本発明による表示装置用スタンドによれば、例えば、長机を用いてＴＶ会議を行う場合に、長机の手前側に参加者を配置し、奥側に表示装置を配置し、表示装置を長机の手前側に引き寄せて支柱を長机の奥側の縁に当接させることにより、基台の大部分を長机の下に押し込むことができ、長机の上面に表示装置を配置して長机の手前側にせり出させることができる。
従って、表示装置の表示画面を長机の手前側に配置される参加者に近づけることができるので、参加者が表示装置の表示画面に表示される内容を的確に把握することができ、ＴＶ会議を円滑に進めることができる。また、長机の奥側において、基台の長机から食み出る量を少なくすることができるので、長机の周囲を参加者が移動するような場合に、参加者の足が誤って基台に引っ掛かり、表示装置を倒してしまうようなこともなくなる。さらに、基台の中心から表示装置の表示画面と反対側へ離れた位置に支柱が立設されていても、基台に錘を取り付けることにより、錘の重量を基台に付加することができるので、基台の安定性を高めることができ、これにより表示装置を安定して支持することができる。
【００１０】
請求項２に係る発明は、請求項１に記載の表示装置用スタンドであって、前記錘を、前記基台の下面側に着脱可能に取り付けたことを特徴とする。
【００１１】
本発明による表示装置用スタンドによれば、基台の下面側に錘を取り付けることにより、基台の重量を増し、表示装置を含めた表示装置用スタンド全体の重心を下方に移動させることができるので、表示装置を含めた表示用スタンド全体の安定性をより高めることにより、支持脚を短く形成することができる。
【００１２】
請求項３に係る発明は、請求項１又は２に記載の表示装置用スタンドであって、前記基台の下部には床面上を転動可能かつ旋回可能なキャスターが取り付けられ、該キャスターによって前記基台の下面側に形成される空間内に前記錘が着脱可能に取り付けられていることを特徴とする。
【００１３】
本発明による表示装置用スタンドによれば、キャスターによって形成される基台の下面側の空間を利用して錘を取り付けることができるので、使用する表示装置に応じて錘の数を増減させることにより、各種の表示装置を安定して支持することができる。
【００１４】
請求項４に係る発明は、請求項１から３の何れかに記載の表示装置用スタンドであって、前記支持手段は、相互に揺動可能な２枚の羽根板を有する蝶番であって、１つ又は２つ以上の蝶番を前記支柱の頂部に配置し、該蝶番の一方の羽根板を前記支柱の頂部に固定し、他方の羽根板を前記表示装置の裏面側に固定し、該他方の羽根板と一体に前記表示装置を揺動可能に構成し、前記表示装置をその表示画面が上方向を向く位置と水平方向を向く位置との間で角度調整可能に構成したことを特徴とする。
【００１５】
本発明による表示装置用スタンドによれば、蝶番の他方の羽根板が一方の羽根板に対して揺動することにより、他方の羽根板と一体に表示装置が揺動し、他方の羽根板の揺動位置に応じた角度に表示装置が調整される。この場合、表示装置は、その表示画面が上方向を向く位置と水平方向を向く位置との間の任意の位置に角度調整することができる。
【００１６】
請求項５に係る発明は、請求項４に記載の表示装置用スタンドであって、前記蝶番は、前記表示装置を表示画面が水平方向を向く位置に角度調整した際に、該表示装置に作用する回転トルクよりも大きいトルク値を有していることを特徴とする。
【００１７】
本発明による表示装置用スタンドによれば、蝶番は、表示装置に作用する最大の回転トルクよりも大きいトルク値を有しているので、表示装置を任意の角度に調整した場合に、その位置に表示装置を確実に保持することができる。
【発明の効果】
【００１８】
以上、説明したように、本発明による表示装置用スタンドによれば、例えば、長机を用いてＴＶ会議行う場合に、長机の手前側に参加者を配置し、奥側に参加者の各人に対応させてそれぞれ表示装置を配置し、各表示装置を長机の手前側に引き寄せ、支柱を長机の奥側の縁に当接させることにより、基台の大部分を長机の下に押し込み、表示装置を長机の上面に配置した状態で長机の手前側にせり出させることができる。
従って、表示装置の表示画面を参加者に近づけることができるので、参加者は表示画面に表示される内容を的確に把握することができることになり、ＴＶ会議を円滑に進行させることができる。
また、長机の縁から外方に食み出る基台の量を少なくすることができるので、参加者が長机の周囲を移動するような場合に、誤って基台に脚が引っ掛かって表示装置を倒してしまうようなことがなくなる。
【発明を実施するための最良の形態】
【００１９】
以下、図面を参照しながら本発明の実施の形態について説明する。
図１〜図１４には、本発明による表示装置用スタンドの一実施の形態が示されていて、図１は表示装置用スタンドの全体を示す正面図、図２は側面図、図３は平面図、図４は支柱を伸ばした状態を示す正面図、図５は図４の側面図、図６は表示装置を約４５°に傾けた状態を示す側面図、図７は表示装置の裏面側の拡大図、図８は図７の平面図、図９は表示装置の表示画面が水平方向を向くように角度調整した状態を示す拡大図、図１０は表示装置の表示画面が約４５°方向を向くように角度調整した状態を示す拡大図、図１１は表示装置の表示画面が上方を向くように角度調整した状態を示す拡大図、図１２は蝶番の平面図、図１３はＴＶ会議を行う際の表示装置の配置図、図１４は図１３の拡大側面図である。
【００２０】
すなわち、本実施の形態に示す表示装置用スタンド１は、ネットワークを利用した各種のＴＶ会議システムに適用され、例えば、隔地者間で液晶モニター等のパネル型の表示装置を用いて多人数対多人数でＴＶ会議を行う場合等に表示装置を支持するのに有効なものであって、室内等の床面上を前後左右方向に移動可能かつ旋回可能な基台２と、基台２の上部に垂直に立設される支柱１２と、支柱１２の頂部に一体に設けられる取付け部１６と、取付け部１６に取り付けられる支持手段２０とを備え、支持手段２０に表示装置３０が取り付けられている。
【００２１】
基台２は、脚部３と、脚部３の上部に一体に設けられる基板５と、脚部３の下面側に取り付けられるキャスター６と、基板５の下面側に着脱自在に取り付けられる錘１０とから構成され、基板５の上部に支柱１２が垂直に立設されている。基台２は、表示装置３０の表示画面の幅よりも縦横寸法が小さく形成されている。
【００２２】
脚部３は、図３に示すように、４本の支持脚４を十字状に組み合わせて構成したものであって、これらの支持脚４の上部中央部に四角形板状の基板５が溶接等により一体に連結され、この基板５には、表示装置３０の表示画面から後方側に配置されるように支柱１２が垂直に立設されている。
【００２３】
脚部３の各支持脚４の先端下面側にはそれぞれキャスター６が取り付けられ、これらのキャスター６によって基台２、基台２に立設される支柱１２、及び支柱１２の頂部に支持手段２０を介して取り付けられる表示装置３０が一体となって床面上を前後左右方向に移動可能、かつ旋回可能に支持される。
【００２４】
キャスター６は、市販のキャスターであって、各支持脚４の下面側にねじ（図示せず）により固定される基部７と、基部７の下部に旋回自在に設けられる支持部８と、支持部８に中央が支持される車軸（図示せず）と、車軸に軸受（図示せず）を介して回転自在に支持される車輪９とを備え、車輪９が車軸回りに回転するとともに、車輪９が支持部８の旋回に追従して旋回することで、基台２、支柱１２、及び表示装置３０が一体となって床面上を前後左右方向に移動し、または床面上を旋回することになる。
なお、キャスター６は、上記の構成のものに限らず、市販の各種のタイプのものを使用することができる。また、脚部３の支持脚４も十字状に限らず他の形状に形成してもよい。
【００２５】
錘１０は、例えば、鉛等の金属材から形成される板状をなす密度の均等なものであって、基板５の下面中央部にねじ１１によって着脱自在に取り付けられ、この錘１０による重量を基板５の下面側に付加することにより、基台２の重量を増加させることができ、表示装置３０を含めた表示装置用スタンド１全体の重心位置を下方に移動させることができるので、表示装置３０を含めた表示装置用スタンド１全体の安定性を高めることにより、基台２の上部に支柱１２を介して支持される表示装置３０を安定して支持することができるとともに支持脚４を短く形成することができる。
【００２６】
この場合、錘１０は、基板５の下面側に形成される空間を利用して取り付けられるので、使用する表示装置３０の重量及び重心位置等に応じて錘１０の枚数を増減させることにより、重量、重心位置等の異なる各種の表示装置３０を安定して支持可能な基台２とすることができる。
【００２７】
支柱１２は、基板５の中心から表示装置３０の表示画面の後方側（図２の右方向）にずれた位置に垂直に立設され、この支柱１２の頂部に取付け部１６が一体に設けられ、この取付け部１６に支持手段２０を介して表示装置３０が取り付けられている。
【００２８】
ここで、支柱１２を基板５の中心から表示装置３０の表示画面の後方側にずれた位置に立設しているのは、支柱１２を中心として基台２の前方側の長さを後方側の長さよりも長くするためであり、このような位置に支柱１２を立設することにより、図１３及び図１４に示すように、例えば、長机３５を用いてＴＶ会議をする場合に、基台２の前方側の部分を長机３５の下に押し込むことができるので、長机３５から食み出る基台２の量を少なくすることができる。
【００２９】
支柱１２は、上下方向に伸縮可能な高さ調整機構１３を有し、この高さ調整機構１３によって支柱１２を上下方向に伸縮させることで、支柱１２の頂部の取付け部１６に支持手段２０を介して取り付けられる表示装置３０の上下方向の位置を調整することができる。
【００３０】
本実施の形態においては、高さ調整機構１３を備えた支柱１２として、シリンダ本体１４と、シリンダ本体１４内に往復動可能に設けられるロッド１５とを備えた市販のエアーサスペンションを使用し、このエアーサスペンションのシリンダ本体１４の下端を基台２の基板５の上部にねじにより固定し、ロッド１５の上端に箱状の取付け部１６を一体に設け、この取付け部１６の上部に支持手段２０を介して表示装置３０を取り付けている。
なお、取付け部１６は、箱状に限らず、板状等の他の形状に形成してもよい。
【００３１】
取付け部１６の背面（図２の右側の面）には、コ形状の把手部１７が突出した状態で一体に設けられ、この把手部１７を手で掴んでロッド１５を上下方向に移動させることにより、ロッド１５の上下方向の位置に対応した位置に表示装置３０を調整することができる。
【００３２】
シリンダ本体１４とロッド１５との間には、ロッド１５を上下方向の所定の位置に固定するロック機構（図示せず）が設けられ、このロック機構によりロッド１５を固定することで、ロッド１５に取付け部１６を介して取り付けられる表示装置３０を上下方向の任意の位置に固定することができる。
【００３３】
なお、支柱１２は、エアーサスペンションに限らず、上下方向に伸縮可能な高さ調整機構１３を有するものであればよい。
【００３４】
支持手段２０は、図１２に示すように、２枚の長方形板状の羽根板２１、２２と、各羽根板２１、２２の長辺側の縁部に一体に設けられるスリーブ２１ａ、２２ａと、両羽根板２１、２２のスリーブ２１ａ、２２ａを相互に回動自在に連結する連結ロッド２３とから構成される蝶番２０であって、両羽根板２１、２２が連結ロッド２３周りに所定の角度範囲内を相互に揺動可能に構成されている。
なお、後述するように、蝶番２０として、羽根板２１と羽根板２２とを揺動させるのに必要な回転トルクが表示装置３０による最大トルクよりも大きくなるように調整されたものを用いる。
【００３５】
本実施の形態においては、図７及び図８に示すように、２つの蝶番２０、２０を直列に並べて取付け部１６の上部に配置し、各蝶番２０の一方の羽根板２１を取付け部１６の上部にねじ２５により固定し、他方の羽根板２２を表示装置３０の裏面中央部にプレート２４を介してねじ２５により固定している。これにより、表示装置３０は、取付け部１６の上部で蝶番２０の他方の羽根板２２と一体に揺動することになり、表示画面が上方を向く位置（他方の羽根板２２が閉じた位置）と表示画面が水平方向を向く位置（他方の羽根板２２が一方の羽根板２１に対して略直角に開いた位置）との間を揺動可能、かつ任意の位置に角度調整可能に構成される。
【００３６】
そして、上記のような範囲内で表示装置３０を角度調整可能とすることにより、図１３及び図１４に示すように、例えば、長机３５の奥側に表示装置３０を配置し、基台２を長机３５の下に押し込んで支柱１２を長机３５の奥側の縁に当接させた場合に、表示装置３０を長机３５の上面において長机３５の手前側に大きくせり出させることができ、長机３５の手前側に配置されるＴＶ会議の参加者４５に表示装置３０の表示画面を近づけることができる。
【００３７】
蝶番２０には、表示装置３０を任意の位置に角度調整した際に、その位置において表示装置３０の自重により蝶番２０に作用する回転トルクよりも大きなトルク値を有するものを使用し、表示装置３０を任意の位置に確実に保持している。つまり、蝶番２０に作用する回転トルクが最大となるのは、表示装置３０の表示画面が水平方向を向く位置であるから、その位置において表示装置３０に作用する回転トルクよりも大きいトルク値を有する蝶番２０を選定して使用している。このようなトルク値を有する蝶番２０を使用することにより、表示装置３０を任意の位置に確実に保持することができる。
【００３８】
本実施の形態においては、表示装置３０として、例えば、重量が９Ｋｇの２４インチの液晶モニターを使用している。この表示装置３０の回転トルクを測定したところ、表示装置３０の表示画面が水平方向を向く位置で回転トルクが最大の約６．９５Ｎ・ｍとなったので、この回転トルクよりも大きいトルク値（約９．２Ｎ・ｍ）を有する蝶番２０を選定して使用した。
なお、本実施の形態においては、約４．６Ｎ・ｍのトルク値を有する蝶番２０を２つ直接に並べて使用しているが、１つ又は３つ以上の蝶番２０を使用して、９．２Ｎ・ｍのトルク値を確保するように構成してもよい。
【００３９】
そして、上記のように構成した本実施の形態による表示装置用スタンド１に取り付けた表示装置３０を用いて隔地者間でＴＶ会議を行うには、図１３及び図１４に示すように、例えば、室内の所定の位置に長机３５を配置し、長机３５の手前側に長机３５に沿って参加者４５を配置し、長机３５の奥側に参加人数に相当する台数の表示装置３０を配置する。
【００４０】
そして、各表示装置３０を、それを支持している表示装置用スタンド１を床面上を移動させて長机３５の手前側の方向に引き寄せ、表示装置用スタンド１の基台２の前方側の部分を長机３５の下に押し込み、支柱１２を長机３５の奥側の縁に当接させ、表示装置３０を長机３５の上面に配置する。
【００４１】
そして、支柱１２を伸縮させて表示装置３０の高さを調整するとともに、表示装置３０を揺動させて表示装置３０の傾斜角度の調整を行い、表示装置３０を長机３５の手前側にせり出させ、表示装置３０の表示画面を参加者に近づけ、参加者４５の各人が個別の表示装置３０の表示画面を目視可能な状態に調整する。
【００４２】
この場合、支柱１２は、基台２の中心から表示装置３０の表示画面よりも後方側に離れた位置に立設されているが、基台２の基板５の下面側には使用する表示装置３０に対応した所定重量の錘１０が取り付けられているので、この錘１０による重量を基台２に付加することができるとともに、基台２の重心位置を下方に移動させることができ、基台２の安定性を高めることができて、表示装置３０を何れの角度に調整しても安定して支持することができる。
【００４３】
なお、表示装置３０を長机３５の上面に配置した際に、表示装置３０の下端が長机３５の上面に当接するように、支柱１２を伸縮させて表示装置３０の上下方向の位置を調整することにより、表示装置３０に作用する回転モーメントを低減させることができるので、表示装置３０をより調整した角度により安定した状態で保持することができる。
【００４４】
そして、上記のようにＴＶ会議の参加者４５の各人にそれぞれ表示装置３０を配置することにより、表示装置３０の表示画面の表示内容を目視しながらＴＶ会議を進めることができる。
【００４５】
上記のように構成した本実施の形態による表示装置用スタンド１にあっては、基台２の中心から表示装置３０の表示画面の後方側に離れた位置に支柱１２を立設し、その支柱１２の頂部に蝶番２０を介して表示装置３０を取り付けているので、長机３５を用いてＴＶ会議を行う場合に、基台２の大部分を長机３５の下に押し込むことができる。従って、長机３５の周囲をＴＶ会議の参加者４５が移動するような場合であっても、参加者４５の足が誤って基台２に引っ掛かって表示装置３０を倒してしまうようなことはない。
【００４６】
また、支柱１２の頂部に蝶番２０を介して取り付けられる表示装置３０は、表示画面が上方を向く位置と水平方向を向く位置との間を揺動可能、かつそれらの間の任意の位置に角度調整可能に構成されているので、基台２を長机３５の下に押し込んで支柱１２を長机３５の縁に当接させた場合に、表示画面を長机３５の上面上で参加者４５側にせり出させることができる。従って、表示装置３０の表示画面を参加者に近づけることができるので、参加者４５が表示装置３０の表示画面に表示される内容を的確に把握することができ、ＴＶ会議を円滑に進行させることができる。
【００４７】
なお、前記の説明においては、表示装置３０の角度を調整する支持手段として蝶番２０を使用したが、蝶番２０に限らず、表示装置３０を所定の角度に調整し、かつその位置に保持できる機能を有するものであればよい。
また、前記の説明においては、支柱１２に高さ調整機構１３を備えたものを使用したが、高さ調整機構を備えていない支柱を使用してもよい。
【図面の簡単な説明】
【００４８】
【図１】本発明による表示装置用スタンドの一実施の形態の全体を示した正面図である。
【図２】図１の側面図である。
【図３】図１の平面図である。
【図４】支柱を伸ばした状態を示した正面図である。
【図５】図４の側面図である。
【図６】表示装置を約４５°に傾けた状態を示した側面図である。
【図７】表示装置の裏面側の拡大図である。
【図８】図７の平面図である。
【図９】表示装置の表示画面が水平方向を向くように角度調整した状態を示した拡大図である。
【図１０】表示装置の表示画面が約４５°方向を向くように角度調整した状態を示した拡大図である。
【図１１】表示装置の表示画面が上方を向くように角度調整した状態を示した拡大図である。
【図１２】（ａ）は蝶番の平面図、（ｂ）は（ａ）の側面図、（ｃ）は（ａ）の正面図である。
【図１３】ＴＶ会議を行う際の表示装置の概略配置図である。
【図１４】図１３の拡大側面図である。
【符号の説明】
【００４９】
１  表示装置用スタンド                  ２  基台
３  脚部                                ４  支持脚
５  基板                                ６  キャスター
７  基部                                ８  支持部
９  車輪                                １０  錘
１１  ねじ                              １２  支柱
１３  高さ調整機構                      １４  シリンダ本体
１５  ロッド                            １６  取付け部
１７  把手部                            ２０  支持手段（蝶番）
２１  羽根板                            ２２  羽根板
２１ａ  スリーブ                        ２２ａ  スリーブ
２３  連結ロッド                        ２４  プレート
２５  ねじ                              ３０  表示装置
３５  長机                              ４５  参加者
【図１】
2008244618.tif 000003
【図２】
2008244618.tif 000004
【図３】
2008244618.tif 000005
【図４】
2008244618.tif 000006
【図５】
2008244618.tif 000007
【図６】
2008244618.tif 000008
【図７】
2008244618.tif 000009
【図８】
2008244618.tif 000010
【図９】
2008244618.tif 000011
【図１０】
2008244618.tif 000012
【図１１】
2008244618.tif 000013
【図１２】
2008244618.tif 000014
【図１３】
2008244618.tif 000015
【図１４】
2008244618.tif 000016